(57)【要約】  本発明に係る紙幣処理システムは、与えられた紙幣１枚毎に、その性状に関する第１要素および第２要素を含む複数の要素について、新券からの変化度合を評価して評価値を付与する評価部と、前記第１要素に係る評価値と前記第２要素に係る評価値を変数とした、２変数同時度数分布を算出する度数分布算出部と、付与される前記第１要素および第２要素の各々に係る評価値と、紙幣の正損との関係を定める、判定条件を設定する判定条件設定部と、を備え、紙幣に付与された前記第１要素および第２要素の各々に係る評価値と、前記判定条件とに基づいて、該紙幣の正損を判別するものとする。これにより、複数の要素に係る変化度合（劣化度合）を総合的に勘案して、紙幣の正損を判別させることが容易となる。
2009098761.tif 000002
【特許請求の範囲】
【請求項１】
与えられた紙幣１枚毎に、その性状に関する第１要素および第２要素を含む複数の要素について、新券からの変化度合を評価して評価値を付与する評価部と、
前記第１要素に係る評価値と前記第２要素に係る評価値を変数とした、２変数同時度数分布を算出する度数分布算出部と、
付与される前記第１要素および第２要素の各々に係る評価値と、紙幣の正損との関係を定める、判定条件を設定する判定条件設定部と、
を備え、
紙幣に付与された前記第１要素および第２要素の各々に係る評価値と、前記判定条件とに基づいて、該紙幣の正損を判別することを特徴とする紙幣処理システム。
【請求項２】
前記２変数同時度数分布に基づいた情報を表示する表示部を備え、
前記判定条件設定部は、
ユーザの指示に応じた内容にて、前記判定条件を設定することを特徴とする請求項１に記載の紙幣処理システム。
【請求項３】
前記表示部は、
前記２変数同時度数分布のデータに基づいて、
第１軸に前記第１要素に係る評価値が割り当てられ、第２軸に前記第２要素に係る評価値が割り当てられたグラフを表示することを特徴とする請求項２に記載の紙幣処理システム。
【請求項４】
前記２変数同時度数分布を表す分布表（ただし、始めの行を０行目、始めの列を０列目とする）において、ｍ行ｎ列目における値をａ（ｍ，ｎ）としたとき、
ｓ（ｍ，ｎ）＝[｛ａ（０，０）＋ａ（１，０）＋・・・＋ａ（ｍ，０）｝
＋｛ａ（０，１）＋ａ（１，１）＋・・・＋ａ（ｍ，１）｝
＋｛ａ（０，２）＋ａ（１，２）＋・・・＋ａ（ｍ，２）｝
・・・
＋｛ａ（０，ｎ）＋ａ（１，ｎ）＋・・・＋ａ（ｍ，ｎ）｝]／Ｍ
（ただしＭは、任意の定数とする）
により表されるｓ（ｍ，ｎ）の分布（「累積分布」とする）を算出する、累積分布算出部を備えたことを特徴とする請求項１に記載の紙幣処理システム。
【請求項５】
前記累積分布に基づいた情報を表示する表示部を備え、
前記判定条件設定部は、
ユーザの指示に応じた内容にて、前記判定条件を設定することを特徴とする請求項４に記載の紙幣処理システム。
【請求項６】
前記表示部は、
前記累積分布のデータに基づいて、
第１軸に前記第１要素に係る評価値が割り当てられ、第２軸に前記第２要素に係る評価値が割り当てられたグラフを表示することを特徴とする請求項５に記載の紙幣処理システム。
【請求項７】
前記第１要素および第２要素は、
それぞれ、汚れの度合、欠けの度合、および厚みのうちの、何れかであることを特徴とする請求項１に記載の紙幣処理システム。
【請求項８】
前記判定条件設定部は、
前記グラフが表示されている状態において、前記ユーザの指示を受け付けることを特徴とする請求項３または請求項６に記載の紙幣処理システム。
【請求項９】
前記判定条件設定部は、
前記累積分布に基づいて、前記判定条件を設定することを特徴とする請求項４に記載の紙幣処理システム。
【請求項１０】
前記与えられた紙幣についての金種を判別する、金種判別部を備えており、
前記度数分布算出部は、
金種ごとに、前記２変数同時度数分布を算出することを特徴とする請求項１に記載の紙幣処理システム。
【請求項１１】
前記与えられた紙幣の各々についてのＩＤを記憶し、
前記表示部は、
前記グラフ上において、指定された該ＩＤに係る紙幣に対応する位置を示すことを特徴とする請求項３または請求項６に記載の紙幣処理システム。
【請求項１２】
前記評価部は、
前記変化度合を評価して評価値を付与するにあたり、
前記変化度合の検出の結果が、所定水準に比べて大きいか否かを判断する第１ステップと、
該第１ステップにおいて大きいと判断された場合には、該所定水準を１つ分大きくした上で、再度、該第１ステップの処理を行う第２ステップと、
該検出の結果が、該所定水準以下と判断されるまで、該第２ステップを繰り返す第３ステップと、
を含む処理を行うことを特徴とする請求項１に記載の紙幣処理システム。
【請求項１３】
前記評価部は、
前記変化度合を評価して評価値を付与するにあたり、
前記変化度合の検出の結果が、所定水準に比べて小さいか否かを判断する第１ステップと、
該第１ステップにおいて小さいと判断された場合には、該所定水準を１つ分小さくした上で、再度、該第１ステップの処理を行う第２ステップと、
該検出の結果が、該所定水準以上と判断されるまで、該第２ステップを繰り返す第３ステップと、
を含む処理を行うことを特徴とする請求項１に記載の紙幣処理システム。
【請求項１４】
与えられた紙幣を内部に格納する紙幣処理装置と、
該紙幣処理装置に接続されているとともに、ディスプレイを備えている端末と、
を有する請求項３または請求項６に記載の紙幣処理システムであって、
前記表示部は、
該ディスプレイに、前記グラフを表示させることを特徴とする紙幣処理システム。
【請求項１５】
与えられた紙幣を内部に格納する紙幣処理装置と、
該紙幣処理装置に接続されているとともに、ユーザによって操作される操作部を備えている端末と、
を有する請求項２または請求項５に記載の紙幣処理システムであって、
前記判定条件設定部は、
該操作部における操作内容を認識することにより、前記ユーザの指示を受け付けることを特徴とする紙幣処理システム。
【請求項１６】
与えられた紙幣１枚毎に、その性状に関する第１の要素及び第２の要素を含む複数の要素について、新券からの変化度合いを、前記複数の要素毎に評価して評価値を付与する評価部と、
前記第１の要素に係る評価値と、前記第２の要素に係る評価値が属するランクを指定するランク設定手段と、
前記ランク設定手段によって設定されたランクを変数とした、２変数同時度数分布を算出する度数分布算出部と、
前記度数分布算出値を用いて前記第１の要素及び第２の要素の各々にかかるランクと紙幣の正損の関係を設定する正損判定条件設定部とを備え、
次に搬送される紙幣の一枚ずつに前記評価部にて付与された評価値を前記判定条件設定部にてなされた正損判定条件に基づいて判断して正損の判別を行う正損判定部と、
を有することを特徴とした紙幣処理システム。
【発明の詳細な説明】
【技術分野】
【０００１】
本発明は、紙幣に対して所定の処理を実行する紙幣処理システムに関する。
【背景技術】
【０００２】
従来、市場に流通している紙幣の正損を判別する紙幣処理システムが、用いられている。このような紙幣処理システムは、流通に不適当な劣化した紙幣を損券として廃棄する過程において、重要な役割を果たしている。【０００３】
またかかる紙幣処理システムでは、一般的に、紙幣の劣化度合に基づいて紙幣の正損を判定するための判定条件（判定閾値）が予め定められ、この判定条件に基づいて紙幣の正損が判別される。そのため、当該判定条件は適切に設定される必要があり、適正な判定条件を設定するための種々の装置、方法等が提案されている。【０００４】
例えば特許文献１には、複数の有価証券について検出された劣化度合を劣化情報記憶部に収集した後、その収集した劣化度合に基づいて度数分布情報を検査制御部により予め生成しておき、記憶部が記憶する複数の要求値から選択部により選択すると、制御部は、選択された要求値に対応する劣化度合の閾値を度数分布情報に基づいて求め、その閾値を劣化判別部に対して設定し、判別部は、検出された劣化度合と設定された閾値（判定閾値）とを比較して有価証券の劣化の大小を判別する有価証券検査機が開示されている。
【特許文献１】特開平９−５０５４９号公報
【特許文献２】特開２００３−２４２５４９号公報
【特許文献３】特表平１１−５０６５５５号公報
【特許文献４】特開平５−２８２５１６号公報
【発明の開示】
【発明が解決しようとする課題】
【０００５】
ところで紙幣の劣化については、例えば欠損（破れ等による欠けに関する劣化）、汚損（異物付着などによる汚れによる劣化）、厚損（異物付着などによる厚みにおける劣化）等といった複数の劣化要因がある。そのため紙幣の正損を判定するにあたっては、単一の劣化要因だけでなく、複数の劣化要因に着目する方がより妥当な判定が可能となる。【０００６】
そのため、紙幣の正損を判別する紙幣処理システムとしては、紙幣についての複数の劣化要因に係る劣化度合、より広く言えば、紙幣についての複数の要素に係る変化度合を検出し、これらの検出結果を総合的に勘案して、紙幣の正損を判別するものが望ましいといえる。【０００７】
本発明は、上記課題に鑑みてなされたものであって、複数の要素に係る変化度合を総合的に勘案して、紙幣の正損を判別させることが容易となる紙幣処理システムの提供を目的とする。
【課題を解決するための手段】
【０００８】
上記目的を達成するため、本発明に係る紙幣処理システムは、与えられた紙幣１枚毎に、その性状に関する第１要素および第２要素を含む複数の要素について、新券からの変化度合を評価して評価値を付与する評価部と、前記第１要素に係る評価値と前記第２要素に係る評価値を変数とした、２変数同時度数分布を算出する度数分布算出部と、付与される前記第１要素および第２要素の各々に係る評価値と、紙幣の正損との関係を定める、判定条件を設定する判定条件設定部と、を備え、紙幣に付与された前記第１要素および第２要素の各々に係る評価値と、前記判定条件とに基づいて、該紙幣の正損を判別する構成とする。【０００９】
本構成によれば、第１要素に係る評価値と第２要素に係る評価値を変数とした２変数同時度数分布が算出される。なお２変数同時度数分布は、第１要素と第２要素の双方を考慮して、ある変化度合と評価された紙幣の度数の分布を示している。【００１０】
そのため、例えば２変数同時度数分布に関する情報が表示されるようにしておくとともに、ユーザの指示に応じた内容の判定条件が設定されるようにしておくことにより、ユーザは、第１要素と第２要素の双方を考慮して適切な判定条件を決定し、そのように判定条件を設定させることが容易となる。その結果、本構成によれば、複数の要素（劣化要素）に係る変化度合（劣化度合）を総合的に勘案して、紙幣の正損を判別させることが容易となる。【００１１】
また上記構成において、前記２変数同時度数分布に基づいた情報を表示する表示部を備え、前記判定条件設定部は、ユーザの指示に応じた内容にて、前記判定条件を設定する構成としてもよい。【００１２】
本構成によれば、ユーザは、第１要素と第２要素の双方を考慮して適切な判定条件を決定し、そのように判定条件を設定させることが容易となる。その結果、本構成によれば、複数の要素に係る変化度合を総合的に勘案して、紙幣の正損を判別させることが容易となる。【００１３】
また上記構成において、前記表示部は、前記２変数同時度数分布のデータに基づいて、第１軸に前記第１要素に係る評価値が割り当てられ、第２軸に前記第２要素に係る評価値が割り当てられたグラフを表示する構成としてもよい。本構成によれば、ユーザにとって、２変数同時度数分布の内容を、視覚的に認識しやすくなる。【００１４】
また上記構成において、前記２変数同時度数分布を表す分布表（ただし、始めの行を０行目、始めの列を０列目とする）において、ｍ行ｎ列目における値をａ（ｍ，ｎ）としたとき、
ｓ（ｍ，ｎ）＝[｛ａ（０，０）＋ａ（１，０）＋・・・＋ａ（ｍ，０）｝
＋｛ａ（０，１）＋ａ（１，１）＋・・・＋ａ（ｍ，１）｝
＋｛ａ（０，２）＋ａ（１，２）＋・・・＋ａ（ｍ，２）｝
・・・
＋｛ａ（０，ｎ）＋ａ（１，ｎ）＋・・・＋ａ（ｍ，ｎ）｝]／Ｍ
（ただしＭは、任意の定数とする）
により表されるｓ（ｍ，ｎ）の分布（「累積分布」とする）を算出する、累積分布算出部を備えた構成としてもよい。【００１５】
本構成によれば、第１要素に係る評価値と第２要素に係る評価値を変数とした累積分布が算出される。また累積分布は、例えばある変化状態に着目したときに、第１要素と第２要素の何れに係る評価値についても、その変化状態に比べて変化度合が大きくない（或いは、小さくない）紙幣の総和を、Ｍで除した値を表すこととなる。【００１６】
そのため、例えば累積分布に関する情報が表示されるようにしておくとともに、ユーザの指示に応じた内容の判定条件が設定されるようにしておくことにより、ユーザは、第１要素と第２要素の双方を考慮して適切な判定条件を決定し、そのように判定条件を設定させることが容易となる。その結果、本構成によれば、複数の要素に係る変化度合を総合的に勘案して、紙幣の正損を判別させることが容易となる。【００１７】
また上記構成において、前記累積分布に基づいた情報を表示する表示部を備え、前記判定条件設定部は、ユーザの指示に応じた内容にて、前記判定条件を設定する構成としてもよい。【００１８】
本構成によれば、ユーザは、第１要素と第２要素の双方を考慮して適切な判定条件を決定し、そのように判定条件を設定させることが容易となる。その結果、本構成によれば、複数の要素に係る変化度合を総合的に勘案して、紙幣の正損を判別させることが容易となる。【００１９】
また上記構成において、前記表示部は、前記累積分布のデータに基づいて、第１軸に前記第１要素に係る評価値が割り当てられ、第２軸に前記第２要素に係る評価値が割り当てられたグラフを表示する構成としてもよい。本構成によれば、ユーザにとって、累積分布の内容を、視覚的に認識しやすくなる。【００２０】
また上記構成としてより具体的には、前記第１要素および第２要素は、それぞれ、汚れの度合、欠けの度合、および厚みのうちの、何れかである構成としてもよい。【００２１】
また上記構成において、前記判定条件設定部は、前記グラフが表示されている状態において、前記ユーザの指示を受け付ける構成としてもよい。本構成によれば、ユーザは、グラフを参照しながら当該指示を与えることが可能となるため、適切な指示を与えることが容易となる。【００２２】
また上記構成において前記判定条件設定部は、前記累積分布に基づいて、前記判定条件を設定する構成としてもよい。本構成によれば、ユーザにおける、判定条件を設定するための指示の負担を軽減させることが容易となる。【００２３】
また上記構成において、前記与えられた紙幣についての金種を判別する、金種判別部を備えており、前記度数分布算出部は、金種ごとに、前記２変数同時度数分布を算出する構成としてもよい。本構成によれば、複数金種の紙幣を取り扱う場合であっても、金種ごとに別個に判定条件を設定させることが容易となる。【００２４】
また上記構成において、前記与えられた紙幣の各々についてのＩＤを記憶し、前記表示部は、前記グラフ上において、指定された該ＩＤに係る紙幣に対応する位置を示す構成としてもよい。本構成によれば、着目する特定の紙幣が、劣化度合に関してどのように評価されたかを、グラフ上にて追跡調査することが容易となる。なおここでの「ＩＤ」とは、着目する紙幣を他の紙幣と区別させ得る情報である。例えば、紙幣に印字されている紙幣番号や、装置内に取り込まれた順番に沿って紙幣に付与された連番などが該当し得るが、これらには限定されない。【００２５】
また上記構成において、前記評価部は、前記変化度合を評価して評価値を付与するにあたり、前記変化度合の検出の結果が、所定水準に比べて大きいか否かを判断する第１ステップと、該第１ステップにおいて大きいと判断された場合には、該所定水準を１つ分大きくした上で、再度、該第１ステップの処理を行う第２ステップと、該検出の結果が、該所定水準以下と判断されるまで、該第２ステップを繰り返す第３ステップと、を含む処理を行う構成としてもよい。【００２６】
本構成によれば、評価部は、変化度合の検出の結果と所定水準（閾値）との比較を繰り返すことにより、変化度合を評価することが可能となる。そのため、評価部によって実行される処理の内容を、単純化することが可能となる。【００２７】
また上記構成において、前記評価部は、前記変化度合を評価して評価値を付与するにあたり、前記変化度合の検出の結果が、所定水準に比べて小さいか否かを判断する第１ステップと、該第１ステップにおいて小さいと判断された場合には、該所定水準を１つ分小さくした上で、再度、該第１ステップの処理を行う第２ステップと、該検出の結果が、該所定水準以上と判断されるまで、該第２ステップを繰り返す第３ステップと、を含む処理を行う構成としてもよい。【００２８】
本構成によれば、評価部は、変化度合の検出の結果と所定水準（閾値）との比較を繰り返すことにより、変化度合を評価することが可能となる。そのため、評価部によって実行される処理の内容を、単純化することが可能となる。【００２９】
また、与えられた紙幣を内部に格納する紙幣処理装置と、該紙幣処理装置に接続されているとともに、ディスプレイを備えている端末と、を有する、上記構成の紙幣処理システムにおいて、前記情報報知部は、該ディスプレイに、前記グラフを表示させるものとしてもよい。【００３０】
また、与えられた紙幣を内部に格納する紙幣処理装置と、該紙幣処理装置に接続されているとともに、ユーザによって操作される操作部を備えている端末と、を有する、上記構成の紙幣処理システムにおいて、前記判定条件設定部は、該操作部における操作内容を認識することにより、前記ユーザの指示を受け付けるものとしてもよい。【００３１】
また本発明の別の態様に係る紙幣処理システムは、与えられた紙幣１枚毎に、その性状に関する第１の要素及び第２の要素を含む複数の要素について、新券からの変化度合いを、前記複数の要素毎に評価して評価値を付与する評価部と、前記第１の要素に係る評価値と、前記第２の要素に係る評価値が属するランクを指定するランク設定手段と、前記ランク設定手段によって設定されたランクを変数とした、２変数同時度数分布を算出する度数分布算出部と、前記度数分布算出値を用いて前記第１の要素及び第２の要素の各々にかかるランクと紙幣の正損の関係を設定する正損判定条件設定部とを備え、次に搬送される紙幣の一枚ずつに前記評価部にて付与された評価値を前記判定条件設定部にてなされた正損判定条件に基づいて判断して正損の判別を行う正損判定部と、を有する構成とする。【００３２】
本構成によれば、複数の要素に係る評価値に関する度数分布が算出される。そのため、例えば当該度数分布に関する情報が表示されるようにしておくとともに、ユーザの指示に応じた内容の判定条件が設定されるようにしておくことにより、ユーザは、当該複数の要素を考慮して適切な判定条件を決定し、そのように判定条件を設定させることが容易となる。その結果、本構成によれば、複数の要素に係る劣化度合を総合的に勘案して、紙幣の正損を判別させることが容易となる。
【発明の効果】
【００３３】
本発明によると、第１要素に係る評価値と第２要素に係る評価値を変数とした２変数同時度数分布が算出される。なお２変数同時度数分布は、第１要素と第２要素の双方を考慮して、ある変化度合と評価された紙幣の度数の分布を示している。【００３４】
そのため、例えば２変数同時度数分布に関する情報が表示されるようにしておくとともに、ユーザの指示に応じた内容の判定条件が設定されるようにしておくことにより、ユーザは、第１要素と第２要素の双方を考慮して適切な判定条件を決定し、そのように判定条件を設定させることが容易となる。その結果、本構成によれば、複数の要素（劣化要素）に係る変化度合（劣化度合）を総合的に勘案して、紙幣の正損を判別させることが容易となる。
【図面の簡単な説明】
【００３５】
【図１】本発明の実施形態に係る紙幣処理システムの構成図である。
【図２】本発明の実施形態に係る紙幣入出金機の断面図である。
【図３】紙幣識別部のセンサ配置を示す断面図である。
【図４】紙幣識別部のセンサ配置を示す平面図である。
【図５】本発明の実施形態に係る紙幣処理システムの制御系統に関するブロック図である。
【図６】本発明の実施形態に係る入金処理の流れ図である。
【図７】本発明の実施形態に係る判定条件設定処理の流れ図である。
【図８】２変数同時度数分布表を説明するための説明図である。
【図９】累積分布表を説明するための説明図である。
【図１０】累積分布に基づいた３次元グラフの一例を示す説明図である。
【図１１】累積分布に基づいた２次元グラフの一例を示す説明図である。
【図１２】評価データの一例を示す説明図である。
【図１３】２変数同時度数分布表の一例を示す説明図である。
【図１４】累積分布表の一例を示す説明図である。
【図１５】判定条件の入力に関する説明図である。
【符号の説明】
【００３６】
１          紙幣処理システム
１１        紙幣入出金機（紙幣処理装置）
１２、１３  端末
１２ａ、１３ａ    ディスプレイ
１２ｂ、１３ｂ    操作部
２２        紙幣出金口
２３        紙幣入金口
２４        占有ボタン
３４        透明シャッタ
３５        入金紙幣一時保留部
３６        前面扉
４０        上部ユニット側紙幣搬送部
５０        紙幣識別部
８２        リジェクトボックス
８３        紙幣収納部
２０１        制御部
２０２        判定条件設定部
２０３        正損判別部
２０４        欠損評価部（評価部）
２０５        汚損評価部（評価部）
２０６        厚損評価部（評価部）
２０７        記憶部
２０８        光学センサ
２０９        厚み検知センサ
３０１        タイミングセンサ
３０２        ラインセンサ
３０３        磁気ヘッド
３０４ａ      厚み検知ローラー
３０４ｂ      対向ローラー
３０４ｃ      厚み検知レバー
３０５        タイミングセンサ
【発明を実施するための最良の形態】
【００３７】
以下、本発明の実施形態について図面を参照しながら説明する。まず本実施形態に係る紙幣処理システムの構成について説明する。【００３８】
当該紙幣処理システムの構成図を、図１に示す。このように紙幣処理システム１は、紙幣入出金機１１、および２台の端末（１２、１３）により構成されている。端末（１２、１３）は、例えばパーソナルコンピュータやテラーズマシーンであって、テラー等のユーザによって情報の入出力が可能となっている。より具体的には、端末（１２、１３）は、種々の情報が表示されるディスプレイ（１２ａ、１３ａ）、およびユーザによるキーボードの操作等を通じて、ユーザの指示を受け付けることができる操作部（１２ｂ、１３ｂ）を備えている。【００３９】
また紙幣入出金機１１の断面図を、図２に示す。紙幣入出金機１１は、例えば銀行などの金融機関のカウンターに、このカウンターの内側に居る２人のテラー間に設置されている。これにより、紙幣入出金機１１の左右の一方または両方に居るテラーのいずれからも使用可能となっている。【００４０】
また紙幣入出金機１１には通信インターフェースが設けられており、ここに、左右の２人のテラーが操作する端末（１２、１３）がそれぞれ接続されている。これにより、端末（１２、１３）と紙幣入出金機１１との双方向通信が可能となっている。そしてこれら端末（１２、１３）のいずれか一方のみで紙幣入出金機１１を使用する場合、両方で紙幣入出金機１１を使用する場合の３通りの使用方法が可能である。【００４１】
以下、図１および図２を参照しながら、紙幣入出金機１１の構成の詳細について説明する。紙幣入出金機１１は機体１４を有し、この機体１４は、テラーが操作する操作面側を前面１４ａとし、この前面１４ａと反対側つまりカウンターの外側の顧客側を後面１４ｂとした場合、左右方向の横幅が狭く、前後方向の奥行きが長いとともに上下方向の高さが高い縦型に構成されている。【００４２】
また機体１４には、上部ユニット１５および下部ユニット１６が機体１４の前面側からそれぞれ引出可能に設けられている。【００４３】
上部ユニット１５の上面前側および前面上側には、操作部としての上面操作部１７および前面操作部１８がそれぞれ配置され、上面操作部１７は機体１４の上面１４ｃより上方に突出され、この上面操作部１７の後方の機体１４の上面域にカウンターが嵌合する嵌合段部１９が形成され、この嵌合段部１９から機体１４の後面１４ｂまでの幅寸法のカウンターが機体１４の上面１４ｃに嵌合配置され、上面操作部１７の上面がカウンターの上面と略同じぐらいの高さ位置に配置される。【００４４】
上部ユニット１５の上面操作部１７には、すなわち機体１４の上面前側には、前側から順に、前方へ向けて下降傾斜する傾斜面２０および略水平な水平面２１が形成され、この水平面２１には、前側から順に、紙幣を出金する紙幣出金口２２、および紙幣を入金する紙幣入金口２３が形成され、これら紙幣出金口２２および紙幣入金口２３の設置域の左右両側域に左右いずれのテラーで入金処理または出金処理を占有するかを指示する占有指示部としての占有ボタン２４がそれぞれ配置され、紙幣出金口２２および紙幣入金口２３の設置域の一側すなわち左側に紙幣の詰まり箇所や紙幣の残量などを表示する表示部２５が配置されている。各占有ボタン２４は、それぞれランプを内蔵しており、操作されて占有状態となることで点灯表示する。【００４５】
上部ユニット１５の前面操作部１８には、入金処理時に入金紙幣の一時保留後の入金非承認によって返却することになった紙幣を取り出すための開口部２６が形成され、前面扉３６で閉塞される。また、上部ユニット１５を機体１４に収納した状態で施錠解錠するテラー操作用の上部ユニット錠２７が設けられている。そして、この上部ユニット錠２７の解錠によって上部ユニット１５が機体１４から引き出せる。【００４６】
機体１４の前面下部域には扉体２８が開閉可能に取り付けられ、この扉体２８に下部ユニット１６を機体１４に収納して扉体２８を閉じた状態で施錠解錠する金融機関の上位管理者または警備保障会社の社員しか操作できない下部ユニット錠２９が設けられており、扉体２８を解錠して開放することで下部ユニット１６を機体１４内から前方へ引き出し可能としている。なお、下部ユニット錠２９はテラーには解錠できない。【００４７】
また、上部ユニット１５の紙幣出金口２２および紙幣入金口２３の下部には、紙幣を立位姿勢でかつ長方形の紙幣の短手方向を上下方向として収容するボックス状の紙幣出金部３２および紙幣入金部３３がそれぞれ配置されている。紙幣出金口２２には、出金中に紙幣出金口２２を閉じるとともに出金終了時に開く透明シャッタ３４が開閉可能に配置され、出金中においては閉じている透明シャッタ３４を透過して紙幣出金口３２に出金される紙幣を視認可能としている。【００４８】
上部ユニット１５の前面の開口部２６の内側には、すなわち機体１４の前側域には、受入可能と識別された入金紙幣つまり入金正規紙幣を受収して金種混合状態で一括して一時保留する入金紙幣一時保留部３５が配置されている。この入金紙幣一時保留部３５の前面には閉鎖状態で図示しない電磁ロックによってロックされる透明な前面扉３６が開閉可能に配置され、一時保留紙幣の返却時に電磁ロックが解除され、前面扉３６に設けられている取手３７を持って開口部２６から前方へ開くことにより、開口部２６を通じて入金紙幣一時保留部３５内の入金非承認時の一時保留紙幣を一括取出可能としている。【００４９】
上部ユニット１５内には、紙幣出金部３２、紙幣入金部３３および入金紙幣一時保留部３５に接続されて紙幣を搬送する上部ユニット側紙幣搬送部４０が配設されている。この上部ユニット側紙幣搬送部４０は、紙幣出金部３２に紙幣を搬送する出金搬送路部４１、紙幣入金部３３から繰り出される紙幣を搬送する入金搬送路部４２、出金搬送路部４１の途中に接続されて入金紙幣一時保留部３５との間で紙幣を搬送する保留搬送路部４３、後方から前方へ折り返す略Ｕ字形で上側の一端が入金搬送路部４２に接続された識別搬送路部４４、識別搬送路部４４の上側の一端と下側の他端とを接続するバイパス搬送路部４５、出金搬送路部４１と識別搬送路部４４の上側の一端（パイパス搬送通路４５の上端）との間に接続された保留出金搬送路部４６、保留出金搬送路部４６に接続されて前方へ延設されたリジェクト紙幣搬送路部４７、識別搬送路部４４の下側の他端（パイパス搬送通路４５の下端）に接続されて前方へ延設され前端がリジェクト紙幣搬送路部４７に接続された収納出金搬送路部４８を有している。【００５０】
少なくとも出金搬送路部４１、保留搬送路部４３、識別搬送路部４４、保留出金搬送路部４６および収納出金搬送路部４８は、紙幣の搬送方向を正逆に反転させることができる。各搬送路部４１〜４８間の接続部分には紙幣の進行方向を切り換える切換部材４９がそれぞれ配置されている。また識別搬送路部４４には、紙幣識別部５０が配設されている。【００５１】
紙幣識別部５０は、光学センサや厚み検知センサを備えており、搬送されてきた紙幣における光の透過度合、反射度合、および厚みなどを検出する。これにより紙幣識別部５０は、搬送されてきた紙幣の金種、真偽、および正損などを識別することが可能となっている。【００５２】
なお「金種」とは紙幣の種類のことであり、「真偽」とは紙幣が偽造されたものであるか否か（本物か偽物か）を示すものであり、「正損」は紙幣の劣化状態に鑑みて、適正な紙幣であるか否かを示すものである。正損の判定処理に関しては、改めて詳細に説明する。【００５３】
また紙幣識別部５０の後段には、リジェクト紙幣を収納するリジェクトボックス８２や、正損を分離して収納する紙幣収納部８３などが配置されている。【００５４】
ここで紙幣識別部５０の構成について、図３および図４を参照しながら、より詳細に説明する。なお図３は、紙幣識別部５０の断面図を表し、図４は、紙幣識別部５０のセンサ配置を上側から見た図を表している。これらの図に示すように、紙幣識別部５０は、タイミングセンサ（３０１、３０５）、ラインセンサ３０２、磁気ヘッド３０３、厚み検知ローラー３０４ａ、対向ローラー３０４ｂ、厚み検知レバー３０４ｃなどを備えている。また紙幣識別部５０では、入口側（図３における左側）から搬送されてきた紙幣が、出口側（図３における右側）に向けて搬送される。【００５５】
タイミングセンサ３０１は、紙幣識別部５０の入口側から搬送されてきた紙幣の到来を検知する。なお当該検知がなされると、後段のラインセンサ３０２によるイメージ画像の取り込み等が開始される。【００５６】
ラインセンサ３０２は、タイミングセンサ３０１の後段に配置されており、可視光（波長が約５７０ｎｍの緑黄色光）を搬送されてきた紙幣に照射する。そしてその反射光を用いて、紙幣に係るイメージ画像のデータを採取する。このイメージ画像のデータは、紙幣の金種判定などに用いられる。またラインセンサ３０２は、当該可視光とＩＲ光（波長が約９４０ｎｍの赤外光）を紙幣に照射し、その透過光を用いて、紙幣の欠け（破れ穴や欠落など）の度合や、汚れの度合を検知する。【００５７】
紙幣の欠けの度合が大きい程、紙幣に妨げられずに通過する光（透過による減衰が生じない光）の領域が大きくなる。そのため、当該領域の大きさが検出されることにより、紙幣の欠けの度合が検知され得ることとなる。また紙幣の汚れの度合が大きい程、紙幣に付着している異物等によって透過光の減衰が生じ易くなる。そのため、透過光の減衰度合が検出されることにより、紙幣の汚れの度合が検知され得ることとなる。【００５８】
なお、紙幣の欠けの度合の具体的な評価の手法としては、例えば紙幣を複数の領域に分割したもの（ただし、欠けが無いと仮定する）を想定するとともに、各領域における光の減衰度合を検知して２値化し、実際に光が紙幣を透過している領域（光の減衰が小さい領域）の総数を計数する手法が用いられる。また紙幣の汚れの度合の具体的な評価手法としては、例えば紙幣を複数の領域に分割したものを想定するとともに、各領域における光の減衰度合を検知し、これらの検知結果の平均値を算出する手法が用いられる。また紙幣の欠けや汚れの度合が評価され得る手法であれば、他の手法が採用されても構わない。【００５９】
磁気ヘッド３０３は、ラインセンサ３０２の後段において、紙幣の搬送路の上下に２個ずつ設けられており、搬送されてきた紙幣に係る磁気パターンのデータを採取する。この磁気パターンのデータは、紙幣の金種判定や、真偽判定などに用いられる。【００６０】
厚み検知ローラー３０４ａは、磁気ヘッド３０３の後段に設けられている。また対向ローラー３０４ｂは、紙幣の搬送路を介して、厚み検知ローラー３０４ａと対向するように配置されている。これにより、両ローラー（３０４ａ、３０４ｂ）の間に紙幣が搬送されると、厚み検知ローラー３０４ａは、紙幣の厚みに応じて上方向に変位する。また厚み検知レバー２０４ｃは、この移動の大きさを、てこの原理を用いて増幅させる。このように増幅された移動の大きさは、光学的或いは磁気的に検知される。また変位量を検出するセンサは、厚み検知ローラー３０４ａの左右に設けられており、紙幣にテープが貼られている場合、紙幣の角部が折れている場合、紙幣の２枚重ねの状態などが、長さの情報として検出できる。これを元に厚損の評価値が算出される。【００６１】
またタイミングセンサ３０５は、厚み検知ローラー３０４ａの後段に設けられており、前段側から搬送されてきた紙幣の到来を検知する。【００６２】
次に、紙幣処理システム１における、特に紙幣の正損判別に着目した制御系統のブロック図を、図５に示す。本図に示すように、紙幣入出金機１１側には、制御部２０１、判定条件設定部２０２、正損判別部２０３、欠損評価部２０４、汚損評価部２０５、厚損評価部２０６、記憶部２０７、光学センサ２０８、および厚み検知センサ２０９などが備えられている。【００６３】
ここで制御部２０１は、紙幣入出金機１１内部における紙幣の搬送、端末（１２、１３）への情報出力、端末（１２、１３）からの情報入力など、紙幣入出金機１１でなされる各種処理を全体的に制御する。【００６４】
判定条件設定部２０２は、紙幣の劣化度合に関する評価結果やユーザの指示などに基づいて、紙幣の正損を判定するための条件（以下、「判定条件」と称する）を設定する。また正損判別部２０３は、紙幣の劣化度合に関する評価結果や判定条件などに基づいて、紙幣の正損を判定する。【００６５】
また欠損評価部２０４は、紙幣識別部５０において検知された紙幣の欠けの度合についての、新券からの変化（劣化）の度合（欠損）を評価し評価値を得る。また汚損評価部２０５は、紙幣識別部５０において検知された紙幣の汚れの度合についての、新券からの変化（劣化）の度合（汚損）を評価し評価値を得る。また厚損評価部２０６は、紙幣識別部５０において検知された紙幣の厚みについての、新券からの変化（劣化）の度合（厚損）を評価し評価値を得る。【００６６】
より具体的には、欠損評価部２０４は、紙幣識別部５０（特に、ラインセンサ３０２）によって検知された紙幣の欠けの領域の大きさが、欠けのない紙幣（新券の紙幣に相当する）に比べてどの程度であるかを検出する。【００６７】
そして欠損評価部２０４は、当該検出結果を、予め２５５（＝２５６−１）個が設定されている各閾値のうち、最も小さいものと比較する。そして当該検出結果の方が大きい場合は、現状より１つ分大きい閾値と比較する。このような処理を、当該検出結果が閾値より小さくなるという条件を満たすまで繰返す。そしてどの閾値のときに当該条件が満たされたかを調べることによって、当該紙幣の欠損に関し、０（最も欠損の度合が大きい）から２５５(最も欠損の度合が小さい)までの２５６通りの評価値を得る。【００６８】
また汚損評価部２０５は、紙幣識別部５０（特に、ラインセンサ３０２）によって検知された紙幣の汚れの度合が、汚れのない紙幣（新券の紙幣に相当する）に比べてどの程度であるかを検出する。【００６９】
そして汚損評価部２０５は、当該検出結果を、予め２５５（＝２５６−１）個が設定されている各閾値のうち、最も小さいものと比較する。そして当該検出結果の方が大きい場合は、現状より一つ分大きい閾値と比較する。このような処理を、当該検出結果が閾値より小さくなるという条件を満たすまで繰返す。そしてどの閾値のときに当該条件が満たされたかを調べることによって、当該紙幣の汚損に関し、０（最も汚損の度合が大きい）から２５５（最も汚損の度合が小さい）までの２５６通りの評価値を得る。【００７０】
また厚損評価部２０６は、紙幣識別部５０（特に、厚み検知ローラー３０４ａなど）によって検知された紙幣の厚みが、新券の紙幣の厚みに比べてどの程度であるかを検出する。【００７１】
そして厚損評価部２０６は、当該検出結果を、予め２５５（＝２５６−１）個が設定されている各閾値のうち、最も小さいものと比較する。そして当該検出結果の方が大きい場合は、現状より１つ分大きい閾値と比較する。このような処理を、当該検出結果が閾値より小さくなるという条件を満たすまで繰返す。そしてどの閾値のときに当該条件が満たされたかを調べることによって、当該紙幣の厚損に関し、０（最も厚損の度合が大きい）から２５５（最も厚損の度合が小さい）までの２５６通りの評価値を得る。【００７２】
なお欠損評価部２０４、汚損評価部２０５、および厚損評価部２０６における、各種評価の方法などについては、他の種々の方法を採用することが可能である。【００７３】
例えば、欠損評価部２０４については、欠損の検出結果を、先ず２５５個が設定されている各閾値のうち最も大きいものと比較するようにし、当該検出結果の方が小さい場合は、現状よりも１つ分小さい閾値と比較するようにしても良い。この場合、かかる処理を、当該検出結果が閾値より大きいという条件が満たされるまで繰返すことにより、欠損に関し、２５６通りの評価値を得ることが可能である。【００７４】
また例えば、汚損評価部２０５については、汚損の検出結果を、先ず２５５個が設定されている各閾値のうち最も大きいものと比較するようにし、当該検出結果の方が小さい場合は、現状よりも１つ分小さい閾値と比較するようにしても良い。この場合、かかる処理を、当該検出結果が閾値より大きいという条件が満たされるまで繰返すことにより、汚損に関し、２５６通りの評価値を得ることが可能である。【００７５】
また例えば、厚損評価部２０６については、厚損の検出結果を、先ず２５５ランクに設定されている各閾値のうち最も大きいものと比較するようにし、当該検出結果の方が小さい場合は、現状よりも１つ分小さい閾値と比較するようにしても良い。この場合、かかる処理を、当該差が閾値より大きいという条件が満たされるまで繰返すことにより、厚損に関し、２５６通りの評価値を得ることが可能である。【００７６】
また記憶部２０７は、判定条件設定部２０２によって設定された判定条件など、種々の情報を記憶する。また光学センサ２０８は、ラインセンサ３０２等からなる、紙幣の各種性状を光学的に検知するセンサ機構である。また厚み検知センサ２０９は、厚み検知ローラー３０４ａ、対向ローラー３０４ｂ、および厚み検知レバー３０４ｃ等からなる、紙幣の厚みを検知するセンサ機構である。【００７７】
以上に示した構成の紙幣入出金機１１によれば、紙幣の入金処理（受取った紙幣を内部に収納する処理）や出金処理（収納されている紙幣から、指定された金額分を取り出す処理）などを実行することが可能である。また紙幣の正損判別処理に用いられる判定条件を設定する処理（判定条件設定処理）の実行が可能である。【００７８】
次に、紙幣入出金機１１における入金処理の流れについて、図６に示すフローチャートを参照しながら、以下に説明する。【００７９】
紙幣入出金機１１を例えば左側のテラーが使用する場合には、左側の占有ボタン２４を操作することにより、左側のテラー側の占有モードとする。例えば金融機関のカウンターにおいて、テラーが顧客から受け取った入金紙幣を紙幣入金口２３に投入し、左側のテラーの端末１２で入金開始を指示することにより、入金処理が開始される。【００８０】
紙幣入金口２３に投入されて立位姿勢が保たれる入金紙幣は、紙幣入金口２３から上部ユニット側紙幣搬送部４０の入金搬送路部４２に１枚ずつ繰り出され、識別搬送路部４４に搬送される。そしてこの紙幣が紙幣識別部５０に搬送されると、各センサ（２０８、２０９）によって、紙幣の性状に関する検知信号が読み出される（ステップＳ０）。そして紙幣識別部５０は、当該紙幣に係る金種の判定が可能であるかを判断する（ステップＳ１）。【００８１】
その結果、金種の判定が可能である場合には（ステップ１のＹ）、欠損評価部２０４、汚損評価部２０５、および厚損評価部２０６によって、当該紙幣の欠損、汚損、および厚損の各々が２５６通りに評価され、当該紙幣に欠損、汚損、および厚損の各々についての評価値が付与される。そして正損判別部２０３は、これらの評価値と、予め判定条件設定部２０２によって設定されている判定条件に基づいて、当該紙幣の正損を判別する（ステップＳ２）。なおこれらの評価値の情報は、当該紙幣の金種等とともに紙幣別にデータ（以下、「評価データ」と称する）として記憶部２０７に蓄積されていき、後述するように、判定条件設定処理に用いられることとなる。【００８２】
なお各紙幣の評価データには、その紙幣に対するＩＤも付与される。つまり評価データに付随して、各紙幣のＩＤも記憶される。このＩＤは、ある着目した紙幣を他の紙幣から区別させ得る情報であり、例えば、紙幣ごとに別の内容にて印刷されている紙幣の記番号（紙幣識別部５０において、予め紙幣から読取られる）とする。また、紙幣入出金機１１に取り込まれた順番に紙幣に付与される連番を、ＩＤとして採用しても良い。【００８３】
そしてステップＳ２の処理において、紙幣が正券であると判別された場合には（ステップＳ３のＹ）、その紙幣は、正券用の一時保留部に搬送される（ステップＳ４）。【００８４】
一方、紙幣が正券ではない（つまり損券である）と判別された場合には（ステップＳ３のＮ）、その紙幣は、損券用の一時保留部に搬送される（ステップＳ５）。【００８５】
また、ステップＳ１の処理において、金種の判定が不可であった場合には（ステップＳ１のＮ）、その紙幣は、出金口２２に搬送される（ステップＳ６）。なお、このように出金口２２に搬送された紙幣は、その後、例えば顧客に返却されることとなる。【００８６】
上述したステップＳ０からステップＳ６までの処理は、紙幣入金口２３に投入された全ての入金紙幣について順に実行される（ステップＳ７）。そして全ての入金紙幣についての当該一連の処理が完了すると（ステップＳ７のＹ）、入金の許否に関する識別結果が端末１２に表示される。その後テラーは、当該表示の内容を顧客に伝え、入金を承認するか否かを、顧客に確認する。当実施例では、一時保留部が１箇所なので、正券と損券を同一の一時保留部３５へ送り、入金承認が得られたら、正券と損券を別の紙幣収納部８３に収納する。装置としては、一時保留部３５に正券と損券を入れて、入金が承認された後にこれらを一時保留部３５から繰出し、紙幣収納部８３に正券と損券を分離して収納する。【００８７】
顧客が入金を承認した場合には、テラーが端末１２を通じて入金承認指令を行うことにより、入金紙幣一時保留部３５に搬送された紙幣の収納動作が行われる（ステップＳ８）。より具体的には、入金紙幣一時保留部３５に保留されている紙幣は、１枚ずつ繰り出されて紙幣識別部５０に搬送され、その金種が識別される。その後、当該紙幣は、紙幣収納部８３に搬送されて、集積収納される。【００８８】
一方、顧客が入金を承認しなかった場合には、テラーが端末１２を通じて入金非承認指令を行うことにより、入金紙幣一時保留部３５の前面扉３６をロックしていた電磁ロックが解除される。テラーは、前面扉３６の取手３７を持って機体１４の開口部２６から前方へ開き、開口部２６を通じて入金紙幣一時保留部３５内の一時保留紙幣を一括して取り出し、顧客に返却し、前面扉３６を閉じる。【００８９】
以上に示した一連の処理によって、入金処理が実現されることとなる。次に、先述した判定条件設定処理の流れについて、図７に示すフローチャートを参照しながら、以下に説明する。【００９０】
紙幣処理システム１は、端末（１２、１３）を通じて、管理者（ユーザ）によって判定条件設定処理の開始の指示がなされることにより、判定条件設定処理を開始する。またその他、入金処理の終了時（ステップＳ８の処理が完了した後）に、自動的に判定条件設定処理が実行されるようにしても良い。【００９１】
判定条件設定処理が開始されると、判定条件設定部２０２は、端末（１２、１３）のディスプレイに所定表示を行うことにより、判定条件の設定対象となる金種、および正損の判別において着目する２種類の評価項目（欠損、汚損、および厚損のうちの２種類）の指定を、管理者に求める（ステップＳ１１）。【００９２】
そしてこれらの指定がなされたら（ステップＳ１１のＹ）、これまでに記憶部２０７に蓄積されてきた評価データに基づいて、指定された２種類の評価項目（それぞれ「第１項目」、「第２項目」とする）の評価値を変数とした、２変数同時度数分布表を作成する（ステップＳ１２）。なお当該分布表の作成は、指定された金種の評価データのみに基づいて実行される。つまり、指定される金種が異なれば、その金種ごとに、２変数同時度数分布表が作成されることになる。【００９３】
ここで、例えば、第１項目が「欠損」、第２項目が「汚損」と指定された場合には、２変数同時度数分布表は、図８に示す通りとなる。なお図８に示す表におけるａ（ｍ，ｎ）は、第１項目の評価値がｍであり、かつ、第２項目の評価値がｎであった紙幣の度数を示している。またａ（ｍ，ｎ）は、当該２変数同時度数分布表（ただし、始めの行を０行目、始めの列を０列目とする）における、ｍ行ｎ列目の値とみることもできる。また「欠損の評価値」は、「欠けの度合に係る評価値」とみることもでき、同様に「汚損の評価値」は、「汚れの度合に係る評価値」とみることもできる。【００９４】
次に判定条件設定部２０２は、作成された２変数同時度数分布表に基づいて、図９に示すような分布表（「累積分布表」とする）を作成する（ステップＳ１３）。ここで当該累積分布表におけるｓ（ｍ，ｎ）は、次式で表される値である。
ｓ（ｍ，ｎ）＝[｛ａ（０，０）＋ａ（１，０）＋・・・＋ａ（ｍ，０）｝
＋｛ａ（０，１）＋ａ（１，１）＋・・・＋ａ（ｍ，１）｝
＋｛ａ（０，２）＋ａ（１，２）＋・・・＋ａ（ｍ，２）｝
・・・
＋｛ａ（０，ｎ）＋ａ（１，ｎ）＋・・・＋ａ（ｍ，ｎ）｝]／Ｎ
なおＮは、先述した２変数同時度数分布表における度数の総和（つまり、該分布表の作成に用いられている評価データの総数）を示している。【００９５】
以上のようにして作成された累積分布表のｓ（ｍ，ｎ）は、ある劣化状態（第１項目の評価値がｍ、第２項目の評価値がｎである状態）に着目したときに、何れの評価項目についても、当該劣化状態に比べて劣化が小さくない紙幣の割合に相当する。【００９６】
当該累積分布表によれば、ｓ（ｍ，ｎ）は０から１、つまり、０％から１００％までの値をとり、ｓ（０，０）に近づくほど（換言すれば、表の左上に近づくほど）、その値は小さく、ｓ（２５５、２５５）に近づくほど（換言すれば、表の右下に近づくほど）、その値は大きくなる。また当該累積分布表においては、左上に近づくほど、第１項目と第２項目を総合的に勘案した紙幣の劣化度合は大きいことを示し、逆に右下に近づくほど、第１項目と第２項目を総合的に勘案した紙幣の劣化度合は小さいことを示す。【００９７】
次に判定条件設定部２０２は、各端末のディスプレイ（１２ａ、１３ａ）に、先述した累積分布表および当該累積分布表に基づいて作成されたグラフを表示させる（ステップＳ１４）。なおこのとき、累積分布表の表示については、省略するようにしても構わない。【００９８】
グラフの表示にあたっては、例えば図１０に示すように、第１項目の評価値、第２項目の評価値、および先述した累積分布表の値の各々を、互いに直交する３軸に割り当てた３次元グラフを表示するようにすると良い。また図１１に示すように、第１項目の評価値および第２項目の評価値の各々を、互いに直交する２軸に割り当てた２次元グラフを表示するようにしても良い。なお図１１のグラフでは、累積分布表の値は、２０％間隔の等高線により示されている。【００９９】
また累積分布表に基づいたグラフが表示されることに加えて、先述した２変数同時度数分布表に基づいたグラフも、同様にして表示されるようにしてもよい。このようにすれば、ユーザは、指定した金種に係る評価データの傾向などを、より詳細に把握することが可能となる。【０１００】
そして判定条件設定部２０２は、上述したように累積分布表およびグラフを表示させた状態のままで、例えばディスプレイに所定表示を行うことによって、判定条件の入力を管理者に求める（ステップＳ１５）。管理者は、例えば端末における操作部（１２ｂ、１３ｂ）の操作を通じて、判定条件を入力することが可能となる。【０１０１】
これにより管理者は、累積分布表やグラフを参照しながら、判定条件を入力することが可能である。そのため管理者にとっては、これまでに取得された評価データの全体的な傾向を、視覚的に認識しながら判定条件を入力することが可能であるため、妥当な判定条件の入力が容易となる。なお判定条件の入力内容は、例えば、「第１項目の評価値が１５０以上で、かつ、第２項目の評価値が２００以上の紙幣を、正券とする」といった主旨のものや、「累積分布表の値が６０％以下の紙幣を、損券とする」といった主旨のものなどが挙げられるが、これらには限定されない。【０１０２】
判定条件設定部２０２は、以上のようにして判定条件の入力がなされると（ステップＳ１５のＹ）、この入力の内容に従って、判定条件を新たに設定する（ステップＳ１６）。なお判定条件は、判定条件設定処理がなされる度に、更新が可能となっている。これにより、以降に先述したステップＳ２の処理がなされる場合には、新たに設定された判定条件に基づいて、紙幣の正損が判別されることになる。【０１０３】
なお、例えば「累積分布表の値がＸ（０％≦Ｘ≦１００％とする）以下の紙幣を、損券とする」という主旨の判定条件が管理者によって入力されると、判定条件設定部２０２は、累積分布表における各値をＸと比較する。そして、Ｘ以下であるものに対応する劣化状態の紙幣が損券と判別される一方、Ｘを超えるものに対応する劣化状態の紙幣が正券と判別されるような判定条件を設定することとなる。つまり、管理者による入力（指示）の内容に加え、累積分布表にも基づいて、判定条件を設定することとなる。【０１０４】
なお判定条件の入力内容に関して、「損券率をＸ％以下とする」という主旨の入力ができるようにしてもよい。このような入力は、「累積分布表の値がＸ％以下の紙幣を、損券とする」という主旨の入力と同等に扱われる。管理者は、このような内容の判定条件を入力することにより、第１項目と第２項目の双方を勘案しつつ、紙幣の正損の割合を制御することが可能である。【０１０５】
ここで上述した判定条件設定処理の内容をより理解容易とするため、当該処理の具体的事例について、以下に説明する。ただし事例の簡略化のため、ここでの各劣化要素の評価値は０〜３の４等級であるとする。また記憶部２０７には、図１２に示すように、Ｐ１〜Ｐ２０までの各評価データが蓄積されているとする。またステップＳ１１の処理において、金種については「１０Ｅｕｒｏ」が、評価項目については「欠損（第１項目）、および汚損（第２項目）」が、それぞれ管理者によって指定されたとする。【０１０６】
この場合、判定条件設定部２０２は、図１２に示す各評価データのうち金種が「１０Ｅｕｒｏ」であるもの（Ｐ１、Ｐ４、Ｐ５、Ｐ８、Ｐ１１、Ｐ１２、Ｐ１４、Ｐ１６、Ｐ１８、Ｐ２０）の各々に基づいて、「欠損」の評価値と「汚損」の評価値を変数とした、２変数同時度数分布表を作成する（ステップＳ１２に相当）。このときの２変数同時度数分布表は、図１３に示すものとなる。【０１０７】
次に判定条件設定部２０２は、この２変数同時度数分布表に基づいて、累積分布表を作成するとともに、この累積分布表および累積分布表に基づいたグラフを表示させる（ステップＳ１３、Ｓ１４に相当）。なおこのときの累積分布表は、図１４に示すものとなる。【０１０８】
その後、管理者によって、「損券率を７０％以下とする」という主旨の判定条件が入力されると、判定条件設定部２０２は、この入力内容に従って判定条件を新たに設定する（ステップＳ１５、Ｓ１６に相当）。なおこのように判定条件が設定された場合、累積分布表の値が７０％を超えているｓ（３，２）とｓ（３，３）に相当する紙幣が、換言すれば、欠損の評価値が３であり汚損の評価値が２である紙幣と、欠損の評価値が３であり汚損の評価値が３である紙幣が、正損の判別において正券と判別され、その他の紙幣については損券と判別されることになる。【０１０９】
以上に説明したように、紙幣処理システム１は、所定の判定条件に基づいて、紙幣の正損を判別するものとなっている。そして更に、与えられた紙幣に対し、その性状に関する複数の要素（「欠けの度合」、「汚れの度合」、および「厚み」）の各々について、新券からの変化度合（劣化度合）を検出し、当該検出の結果に基づいて、該要素毎に、該変化度合を複数等級に評価して評価値を付与する各評価部（２０４〜２０６）を備えている。【０１１０】
また更に紙幣処理システム１は、欠損の評価値（欠けの度合に係る評価値）、汚損の評価値（汚れの度合に係る評価値）、および厚損の評価値（厚みに係る評価値）のうちの何れか２個を変数とした２変数同時度数分布を算出するとともに、該２変数同時度数分布に基づいた情報（累積分布表や、累積分布表に基づいたグラフなど）をディスプレイ（１２ａ、１３ａ）に表示させる。また、ユーザの指示に基づいて、判定条件を設定する。【０１１１】
そのため、紙幣処理システム１によれば、ユーザ（管理者）は、例えば欠損の評価値と汚損の評価値を変数とした２変数同時度数分布に基づいた情報を知った上で、判定条件を設定することが可能である。またこのような２変数同時度数分布は、欠けの度合と汚れの度合の双方を考慮して、ある劣化度合と評価された紙幣の分布を示す。【０１１２】
このことから、ユーザは、欠けの度合と汚れの度合の双方を考慮して、判定条件を設定することが容易である。その結果、紙幣処理システム１によれば、複数の要素に係る変化度合を総合的に勘案して、紙幣の正損を判別させることが容易である。【０１１３】
また先述した累積度数または２変数同時度数分布に基づいて作成されたグラフにおいて、指定されたＩＤの紙幣に対応する位置を示すようにしておいてもよい。このようにしておけば、着目する特定の紙幣が、劣化度合に関してどのように評価されたかを、グラフ上にて追跡調査することが容易となり、例えば次のようなことが可能となる。【０１１４】
まず、損券と判別されるべき紙幣（着目紙幣）のＩＤを別途記録しておくとともに、この着目紙幣について、紙幣処理システム１に先述したステップＳ２の処理を実行させる。その後、紙幣処理システム１に先述したステップＳ１４の処理を実行させるとともに、当該着目紙幣のＩＤを指定すると、例えば図１１において「Ｐ」（第１項目の評価値が１４８、第２項目の評価値が１４５である点）で示すように、着目紙幣に対応するグラフ上の位置が示される。その結果、ユーザはこれを参照して、「損券率を６０％以下とする」というように判定条件を入力することができる。このようにすると、以降は、着目紙幣と同等の劣化状態にある紙幣を、損券と判別させることが可能となる。【０１１５】
なお判定条件の入力については、ユーザが図１０や図１１に示すグラフ上の任意の位置をポイントすることにより、実現されるようにしても良い。このようにしておけば、ユーザによる判定条件の入力操作を、より容易とすることが可能となる。【０１１６】
例えば図１１に示したグラフが表示されている間、端末（１２、１３）に備えられているマウス（方向入力装置）を用いて、ユーザが、グラフ上の任意の位置をポイントできるようにしておく。より具体的には、図１５に示すように、マウスの操作を通じてポインタ４０１を自在に移動できるようにしておく。そして図１５に示すように、グラフ上の、ｓ（ｍ，ｎ）が２０％であることを表す位置がポイントされると、表示４０２を出現させ、当該ポイントに応じた判定条件を入力するかどうかをユーザに確認するようにしておく。更にその後、表示４０２における「ＹＥＳ」がポイントされると（或いは、ポイントされた状態で、マウスに設けられているボタンが押下されると）、「損券率を２０％以下とする」という主旨の判定条件が入力されたとみなすようにしておく。【０１１７】
また本実施例では、紙幣の劣化要素（紙幣の性状に関する要素）として、欠けの度合、汚れの度合、および厚みの各々に着目したが、その他にも、紙幣が帯びている磁気の程度や、紙幣が屈曲部を通過する際に発生する音など、種々の劣化要素に着目したものとしても良い。また本実施例では、２個の評価項目に着目して２変数同時度数分布を算出するものとしたが、３個以上の評価項目に着目して、劣化状態の度合が同一と評価された（つまり、各劣化要素に係る評価値の全てが同一である）紙幣ごとの度数の分布を算出するようにし、この分布の情報をディスプレイ表示させるようにしても良い。【０１１８】
また本実施例では、上述したステップＳ１４に係るグラフ表示は、端末に備えられているディスプレイ（１２ａ、１３ａ）にてなされるようにしているが、その代わりに、紙幣入出金機１１に備えられている表示部２５にてなされるようにしても構わない。また本実施例では、上述したステップＳ１５に係る判定条件の入力は、ユーザが端末に備えられている操作部（１２ｂ、１３ｂ）を操作することにより実現されるものとなっているが、その代わりに、ユーザが紙幣入出金機１１における上面操作部１７や前面操作部１８を操作することにより実現されるようにしても構わない。【０１１９】
また判定条件設定処理（ステップＳ１１〜Ｓ１６）の全部または一部は、端末（１２、１３）において実行されるようにしても良い。この場合、例えば、紙幣入出金機１１から端末（１２、１３）に評価データ等が伝送され、端末（１２、１３）においてステップＳ１１からＳ１５までの各処理がなされる。そして端末（１２、１３）において判定条件の入力がなされた後（ステップＳ１５のＹ）、当該入力の内容は、紙幣入出金機１１の判定条件設定部２０２に伝送されて、判定条件が設定される（ステップＳ１６）。【０１２０】
また本発明の実施形態は、上述した内容のものに限定されるものではなく、本発明の主旨を逸脱しない限り、種々の改変を加えることが可能である。
【産業上の利用可能性】
【０１２１】
本発明は、例えば紙幣の入金を行う紙幣処理システムなどの分野において、利用可能である。
【図１】
2009098761.tif 000003
【図２】
2009098761.tif 000004
【図３】
2009098761.tif 000005
【図４】
2009098761.tif 000006
【図５】
2009098761.tif 000007
【図６】
2009098761.tif 000008
【図７】
2009098761.tif 000009
【図８】
2009098761.tif 000010
【図９】
2009098761.tif 000011
【図１０】
2009098761.tif 000012
【図１１】
2009098761.tif 000013
【図１２】
2009098761.tif 000014
【図１３】
2009098761.tif 000015
【図１４】
2009098761.tif 000016
【図１５】
2009098761.tif 000017
【国際調査報告】
2009098761.tif 000018
2009098761.tif 000019